(57)【要約】【課題】消火設備に使用されている部品であって、寿命がありその寿命が設置環境によって左右される寿命部品について、設置環境に応じた適正交換時期を予測し得る消火設備の点検装置及び点検方法を提供する。【解決手段】消火設備Ｓの設置時から現時点まで（最大更新時まで）、例えば、６ヶ月に１回定期的に寿命部品の電流・電圧の一方又は両方をデータとして記憶し蓄積して行き、個々の消火設備に、設置時から現時点までの履歴のデータベースを持たせる。そこで、ある寿命部品について、例えば、半年前の点検時のデータと１年前の点検時のデータとを比較し、その変化量を見ることによって、寿命部品の劣化程度が判別し、これに基づいて設置環境に応じた交換時期を予測する。【選択図】図９
2005296321.tif 000002
【特許請求の範囲】
【請求項１】
消火設備の点検の都度、寿命部品の電流・電圧の一方又は両方をデータとして記憶し蓄積するデータ記憶蓄積手段を備えたことを特徴とする消火設備の点検装置。
【請求項２】
消火設備の点検の都度、寿命部品の電流・電圧の一方又は両方をデータとして記憶し蓄積しておき、その蓄積データを利用して寿命部品の交換時期を予測した上で点検を行うことを特徴とする消火設備の点検方法。
【発明の詳細な説明】
【技術分野】
【０００１】
本発明は、二酸化炭素消火設備やハロン消火設備などを代表とするガス系消火設備、放水型スプリンクラ消火設備などを代表とする水系消火設備など各種消火設備の点検装置及び点検方法に関する。
【背景技術】
【０００２】
消火設備はその機能を適正に維持するため、消防法にて定期点検及び報告が義務付けられている。またこの点検項目の中の各試験を自動的に行い、試験結果を一時的に記憶し、記憶した試験結果を必要に応じてディスプレイに表示したり、プリントアウトできる自動点検機能付きの消火設備が既に知られている（例えば、特許文献１，２参照。）。
【特許文献１】特開平５−１７３号公報
【特許文献２】特開平１０−１７９７９０号公報
【発明の開示】
【発明が解決しようとする課題】
【０００３】
消火設備には一般の設備機器と同様に設置後の時間経過とともに劣化し寿命のある部品も使用されている。消火設備を適正な状態に維持管理するためには、故障が発生した時点ではなく、予防保全の観点から故障する前に寿命部品の交換を行うことが必要である。このために寿命部品の中には部品業界・部品メーカーが寿命年数や交換時期を定めているものもある。しかしながら、部品寿命は設置環境によって左右されるため、設置環境に応じた適正時期に寿命部品の交換を行うことは非常に困難である。
【０００４】
本発明は寿命がありその寿命が設置環境によって左右される寿命部品について、設置環境に応じた適正交換時期を予測し得る消火設備の点検装置及び点検方法を提供することを目的としている。
【課題を解決するための手段】
【０００５】
本出願人は寿命部品は劣化が進むにつれて電流や電圧、消費電力などが、あるものについては徐々に上がり、あるものについては徐々に下がり、変化することに着目し本発明を提案した。
【０００６】
上記目的を達成する本発明の消火設備の点検装置は、消火設備の点検の都度、寿命部品の電流・電圧の一方又は両方をデータとして記憶し蓄積するデータ記憶蓄積手段を備えたことを特徴とする。
【０００７】
また、本発明の消火設備の点検方法は、消火設備の点検の都度、寿命部品の電流・電圧の一方又は両方をデータとして記憶・蓄積しておき、その蓄積データを利用して寿命部品の交換時期を予測した上で点検を行うことを特徴とする。
【発明の効果】
【０００８】
本発明の消火設備の点検装置及び点検方法によれば、消火設備の設置時から現時点まで（最大更新時まで）、例えば、６ヶ月に１回定期的に寿命部品の電流・電圧の一方又は両方がデータとして記憶され蓄積されて行き、個々の消火設備が、設置時から現時点までの（最大更新時までの）履歴のデータベースを持つこととなる。そこで、ある寿命部品について、例えば、半年前の点検時のデータと１年前の点検時のデータとを比較し、その変化量を見ることによって、寿命部品の劣化程度が判別でき、これに基づいて設置環境に応じた交換時期が予測できる。この結果、設置環境に応じた適正時期に寿命部品の交換を行うことができ、消火設備を適正な状態で維持管理できる。要するに、消火設備を予知保全を行うことができ、またこの予知保全により定期点検の効率や精度・信頼性も高めることができるという効果を奏する。
【発明を実施するための最良の形態】
【０００９】
以下、本発明の実施の形態を図面に基づいて説明する。図１は消火設備の一例を示すシステム構成図である。本実施形態ではガス系の消火剤を使用するガス系消火設備Ｓを示している。図１において、１は二酸化炭素、窒素、アルゴンの不活性ガス単体又は混合体で構成されるイナート系（不活性ガス系）消火剤やハロゲン元素（臭素、フッ素など）、炭素、水素の化合物であるフッ素系（ハロゲン化物系）消火剤などを充填する消火剤貯蔵容器で、消火剤は容器弁２（開放器付き）から導管３を介して集合配管４へと導かれ、集合配管４から分岐配管５を介して、例えば電算機室、通信機室、駐車場、美術品収蔵庫などの各防護区画６に設置された各噴射ヘッド７へと導かれる。集合配管４の途中には安全装置８が設けられ、安全装置８の二次側には閉止弁９が設けられ、閉止弁９の二次側の集合配管４から各分岐配管５がそれぞれ選択弁１０を介して分岐接続される。１１は二酸化炭素などの起動用ガスを充填する起動用ガス容器で、起動用ガスは容器弁１２（開放器付き）から導管１３を介して選択弁１０の起動ガス導入口へと導かれ、選択弁１０の排気口から導管１４及び逆止弁１５を介して消火剤貯蔵容器１の容器弁２に着脱自在に取り付けられる開放器の起動ガス導入口へと導かれる。１６は中央監視室１７などに配備される制御盤、１８は防護区画６の出入り口１９付近に配備される操作箱（手動式起動装置）、２１，２２は異なる種類のアナログ火災感知器、２３は放出表示灯（充満表示灯）、２４はスピーカー（音声警報装置）、２５は電動シャッター、２６は各起動用ガス容器１１の容器弁１２に着脱自在に取り付ける開放器のソレノイド、２７は各選択弁１０の二次側の分岐配管５の途中に設ける圧力スイッチ、３０は各防護区画６に接続され換気口にダンパー３１を有する換気ダクト、３２は各防護区画６の分岐配管５から導管３３を介して消火剤を導くピストンレリーザである。
【００１０】
図２は制御回路２０の概略を示すブロック図である。制御回路２０はマイクロコンピューターで構成され、制御盤１６に配備される。この制御回路２０には、制御盤１６に配備する火災灯、放出灯、自動灯、手動灯、電源灯、操作箱扉開灯、起動灯、故障灯、スイッチ注意灯、閉止弁開灯、閉止弁閉灯などの盤内表示灯４０、自・手動切替スイッチ、警報停止スイッチ、ブザー停止スイッチ、システム復旧スイッチ、機器停止移報停止スイッチなどの盤内操作スイッチ４１、放出遅延時間を設定する放出遅延時間設定器４２及びその設定値を表示するとともに設定された放出遅延時間をカウントダウン表示するセブンセグメント式のカウントダウン表示器４３、ブザー４６、電話ジャック（図示せず）、点検手順表示用のタッチパネル付き表示装置４７と、操作箱１６に配備する火災灯、放出灯、起動灯、自動灯、手動灯、電源灯、点検注意灯、閉止弁閉灯などの操作箱表示灯４８、設定された放出遅延時間をカウントダウン表示するセブンセグメント式のカウントダウン表示器４９、自・手動切替スイッチ、扉開スイッチ、起動スイッチ、非常停止スイッチなどの操作箱操作スイッチ５０、電話ジャック（図示せず）と、各防護区画６に配備される２種類の各火災感知器２１，２２、放出用表示灯２３、スピーカー２４、シャッターモータ５１と、開放器ソレノイド２６と、圧力スイッチ２７と、閉止弁９の開（検出）スイッチ５２及び閉（検出）スイッチ５３と、蓄電設備付きの電源回路５４と、地絡検出回路や回路異常検出回路（図示せず）と、防護対象の外部機器や換気ファン（図示せず）などが接続される。
【００１１】
次に、消火設備Ｓの手動起動と自動起動に動作について説明する。まず、手動起動（制御盤１６及び操作箱１８の自・手動切替スイッチがともに人為的に手動側に切り替えられ、制御回路２０が手動灯の点灯による手動表示を行う手動モード状態）の場合は、操作箱１８の扉が人為的に開かれ、これを制御回路２０が扉開スイッチのオン信号で検出すると、その制御回路２０が操作箱扉開灯の点灯による操作箱開表示、外部機器停止移報表示を行うとともに、火災灯の点灯による火災表示及びスピーカ２４により音声による退避警報を行う。次いで、防護区画６内の人の退避を確認した後、起動スイッチを人為的にオン操作すると、制御回路２０が起動灯の点灯による起動表示、スピーカ２４による音声による起動警報、放出遅延用タイマの起動、シャッターモータ５１を作動させてのシャッター２５の閉鎖、換気ファンの停止、外部機器の停止などを行う。次いで、放出遅延時間内に人為的な非常停止スイッチのオン操作がない場合、制御回路２０が放出遅延時間経過後に起動用ガス容器１１の容器弁１２の開放器ソレノイド２６を作動させる。このソレノイド２６の作動によって起動用ガスが放出しそのガス圧力で選択弁１０が開放され、消火剤貯蔵容器１の容器弁２もこの開放器を介して開放される。消火剤貯蔵容器１の容器弁２の開放によって消火剤が噴射ヘッド７から防護区画６内に放出され、そのガス圧力でピストンレリーザ３２が作動してダンパー３１が閉鎖されるとともに、圧力スイッチ２７が作動し制御回路２０が放出灯の点灯及び放出表示灯２３の点滅による消火剤放出表示を行う。
【００１２】
一方、自動起動（制御盤１６及び操作箱１８の自・手動切替スイッチがともに人為的に自動側に切り替えられ、制御回路２０が自動灯の点灯による自動表示を行う自動モード状態）の場合は、制御回路２０が１種類の火災感知器２１の作動（火災検知）に基づいて外部機器停止移報表示を行うとともに、火災灯の点滅による火災表示を行い、もう１種類の火災感知器２２の作動に基づいて、すなわち２種類の火災感知器２１，２２のアンド動作によって火災灯の点灯による火災表示及びスピーカ２４により音声による退避警報を行う。次いで、制御回路２０が起動灯の点灯による起動表示、スピーカー２４により音声による起動警報、放出遅延用タイマの起動、シャッターモータ５１を作動させてのシャッター２５の閉鎖、換気ファンの停止、外部機器の停止などを行う。次いで、放出遅延時間内に人為的な非常停止スイッチのオン操作がない場合、制御回路２０が放出遅延時間経過後に起動用ガス容器１１の容器弁１２の開放器ソレノイド２６を作動させる。これ以降の動作は手動起動の場合と同じである。
【００１３】
以上のように、制御回路２０は操作箱１８からのスイッチ操作に基づいて消化設備Ｓを起動させる手動起動機能と、各火災感知器２１，２２の動作に基づいて消火設備Ｓを起動させる自動起動機能を有するとともに、制御回路２０は消火設備Ｓの機能を適正に維持するために定期的に行われる点検に際して、その点検項目を手順ごとにタッチパネル付き表示装置４７に表示する点検手順表示機能を有し、次にこの点検手順表示機能について説明する。
【００１４】
すなわち、前記制御回路２０を、消火設備Ｓの点検項目を手順毎に表示装置４７に表示する表示手段と、表示装置４７に表示された点検項目の実行をタッチパネルの人為的入力操作に基づいて判別する確認手段と、表示装置４７に表示する点検項目をその実行確認に基づいて順番に切り替える点検項目切り替え手段として機能させるための点検手順表示プログラムを備える。またタッチパネル付き表示装置４７を制御盤１６とは別体に構成し、消火設備Ｓの点検時に制御回路２０に接続して使用可能である。タッチパネル付き表示装置４７と制御回路２０との接続は、タッチパネル付き表示装置４７の装着部を制御盤１６の盤面に設け、その装着部にタッチパネル付き表示装置４７を装着し、タッチパネル付き表示装置４７と制御回路２０とを接続端子で接続する他、制御盤１６に制御回路２０に接続された接続端子を設け、タッチパネル付き表示装置４７と制御回路２０とを接続ケーブルを介して有線で接続したり、タッチパネル付き表示装置４７と制御回路２０の間に通信回路を構成し、タッチパネル付き表示装置４７と制御回路２０とを無線で接続することも可能である。
【００１５】
図３はタッチパネル付き表示装置４７の表示例を示す図である。
（ａ）は初期画面で、当該消火設備Ｓの点検開始当初タッチパネル付き表示装置４７は消灯し何も表示されておらず画面全体がスイッチになっており、点検者が初期画面に触れることによりこれを制御回路２０が判別（認識）しタッチパネル付き表示装置３６を点灯させ（ｂ）に示す名称表示画面に切り替えて当該消火設備点検用プログラムの製造販売者の名称やプログラム名などを表示する。次いで点検者が名称表示画面（ｂ）に触れる（画面全体がスイッチになっている。）ことによりこれを制御回路２０が判別し（ｃ）に示す点検確認画面に切り替える。この点検確認画面では「ＹＥＳ」の文字表示がある枠内と「ＮＯ」の文字表示がある枠内がスイッチになっており、点検者が「ＹＥＳ」の文字表示がある枠内を押すことによりこれを制御回路２０が判別し当該消火設備Ｓの点検を開始する。（点検開始操作）
（ｄ）は機器の動作指示画面で、文字だけにより機器の操作を促す画面が表示された時は、その表示内容に沿った操作を点検者が行うとこれを制御回路２０が判別し次画面への切り替えを行う。この表示例（ｄ）の画面が表示された時は、点検者が閉止弁９を閉じるとこれを制御回路２０が閉止弁閉スイッチ５３により判別し次画面への切り替えを行う。
（ｅ）（ｆ）は制御盤・操作箱の表示、外部機器動作確認画面で、制御盤・操作箱・外部機器という文字の下に各種文字表示がある複数の枠内がスイッチになっており、この画面が表示された時は、各枠内に表示されている文字の制御盤・操作箱の表示又は外部機器の動作を点検者が確認し文字表示がある枠内を押すことによりこれを制御回路２０が判別しその文字表示を消し（誤って押した場合はもう一度押すことで文字は再度表示される。）、全ての文字表示を消灯させた後、点検者が「確認」の文字表示がある枠内を押すことによりこれを制御回路２０が判別し次画面への切り替えを行う（点灯箇所がある場合、「確認」の文字表示がある枠内を押しても次画面に切り替えない。）。この表示例（ｅ）の画面が表示された時は、制御盤１６のスイッチ注意灯・放出灯の点灯とブザーの鳴動、外部機器、スピーカー２４の鳴動と放出表示灯２３などの点滅を点検者がそれぞれ確認し「ＳＷ注」・「放出」・「ＢＺ鳴」・「音警報」・「充満表」の各文字表示がある各枠内を押すことによりこれを制御回路２０が判別しその各文字表示を消し、全ての文字表示を消した後、点検者が「確認」の文字表示がある枠内を押すことによりこれを制御回路２０が判別し次画面への切り替えを行う。
（ｇ）は機器の動作指示と確認スイッチがある場合の画面で、動作指示と確認スイッチが表示されている画面が表示された時は、点検者が機器を作動させた後「確認」の文字表示がある枠内を押すことによりこれを制御回路２０が判別し次画面への切り替えを行う（機器を動作させずに「確認」の文字表示がある枠内を押しても次画面に切り替える。）。この表示例（ｇ）の画面が表示された時は、点検者が起動用ガス容器１１の容器弁１２の開放器２６のキーパーを外した後「確認」の文字表示がある枠内を押すことによりこれを制御回路２０が判別し次画面への切り替えを行う。
（ｈ）は試験項目選択画面で、「試験項目を選択してください。」という文字の下に各種試験項目の文字表示がある複数の枠内がスイッチになっており、この画面が表示された時は、点検者が今から実施しようとする試験項目の文字表示がある枠内を押すことによりこれを制御回路２０が判別しその選択された試験を行うか否かの試験確認画面への切り替えを行う。この表示例（ｈ）の試験項目選択画面（１頁目）が表示されており表示外の試験を行う時は、点検者が「次項」の文字表示がある枠内を押すことによりこれを制御回路２０が判別し次の試験項目選択画面（２頁目）への切り替えを行う。
表示例（ｉ）の破線で示すように、表示画面の右上すみ部と左上すみ部は表示画面上には何も表示しない隠れスイッチになっており、点検の途中でその試験を中止する場合、点検者が所定の一側（本実施例では右側）の隠れスイッチ部を押すことによりこれを制御回路２０が判別し復旧確認画面への切り替えを行う。その復旧確認画面に表示される「ＹＥＳ」を選択し画面の指示にしたがって機器などを点検前の状態に復旧して当該消火設備Ｓの点検を中止する。点検者による点検中止操作が行われた場合、点検を中止するより続行した方が早く復旧できると制御回路２０が判別した時は前記隠れスイッチ部を押しても復旧確認画面に切り替えない。他方、点検者が所定の一側（本実施例では左側）の隠れスイッチ部を所定回数押すことによりこれを制御回路２０が判別し前記初期画面（ａ）への切り替えを行い、強制的に点検を終了する。この場合，決められた手順通りに機器などを点検前の状態に復旧する必要がある。
【００１６】
図４は点検手順表示プログラムによる制御回路２０の動作概要を説明するフローチャートである。
制御回路２０は、初期画面（初期状態）から点検開始確認画面を表示し、この点検開始画面にて点検者に当該消火設備Ｓの点検を行うか否かの確認を行い、その確認後に点検準備のための動作（手順毎の画面表示）を行う。次いで点検準備動作完了後に試験項目選択画面を表示し、この試験項目選択画面にて点検者に今からどの項目の試験を実施するのかの確認を行う。次いで試験項目選択画面にて選択された試験を実施するための動作（手順毎の画面表示）を行う。次いで試験動作完了後に前記試験項目選択画面にて点検者に復旧を行うか否かの確認を行い、その確認後に機器などを点検前の状態に復旧するための動作（手順毎の画面表示）を行い、この復旧動作完了後に初期状態（初期画面）に戻す。
【００１７】
消火設備Ｓの点検時に実施する試験としては、操作箱作動試験、操作箱停止試験、自・手動切替試験、感知器作動試験、感知器不作動試験、異常回路試験があり、これら各試験項目が試験項目選択画面にて選択可能である。操作箱作動試験は操作箱１８の起動スイッチからの作動試験、操作箱停止試験は操作箱１８の起動スイッチからの作動を非常停止スイッチで止める試験、感知器作動試験は自動モードで火災感知器２１，２２それぞれを起動させ作動を確認する試験、感知器不作動試験は手動モードで感知器２１，２２を起動させても作動しないことを確認する試験、自・手動切替試験は制御盤・操作盤からの自動・手動モードの切り替えを確認する試験、異常回路試験は異常回路（地絡・短絡）の動作確認をする試験である。
【００１８】
図５は点検手順表示プログラムによる制御回路２０の点検準備動作を説明するフローチャートである。
消火設備の点検開始に際し点検者が携帯しているタッチパネル付き表示装置４７を制御盤１６の制御回路２０に接続する。この点検開始当初はタッチパネル付き表示装置４７は消灯し何も表示されていない。この初期状態で点検者が初期画面（ステップ０）に触れることによりこれを制御回路２０が判別しステップ１へと進む。
ステップ１では制御回路２０がタッチパネル付き表示装置４７の画面を点灯させて当該消火設備点検用プログラムの製造販売者の名称やプログラム名などを表示する。点検者が名称表示画面に触れることによりこれを制御回路２０が判別し次画面への切り替えを行い、ステップ２へと進む。
ステップ２では点検を行うか否かの点検確認画面が表示され、点検を行う場合は「ＹＥＳ」の文字表示がある枠内を点検者が押すことによりこれを制御回路２０が判別し次画面への切り替えを行い、ステップ３へと進み、点検を行わない場合は「ＮＯ」の文字表示がある枠内を点検者が押すことによりこれを制御回路２０が判別し初期画面（ステップ０）への切り替えを行い、初期状態に戻す。
ステップ３では閉止弁９を閉じるよう点検者に指示を出す閉止弁閉指示画面が表示され、点検者が閉止弁９を閉じることによりこれを制御回路２０が閉止弁閉スイッチ５３により判別し次画面への切り替えを行い、ステップ４へと進む。
ステップ４では開放器（ソレノイド）２６のキーパーをセットするよう点検者に指示を出し、開放器２６の固定を確認する開放器固定確認画面が表示され、点検者が開放器２６にキーパーをセットし「確認」の文字表示がある枠内を押すことによりこれを制御回路２０が判別し次画面への切り替えを行い、ステップ５へと進む。また開放器２６が既に起動用ガス容器弁１２から取り外ずされている場合は点検者が「開放器取外済」の文字表示がある枠内を押すことによりこれを制御回路２０が判別しステップ１３へジャンプして進む。
ステップ５では制御盤１６の盤面にある各表示灯の点灯を確認する制御盤表示確認画面が表示され、その画面に表示されている文字表示（「電源」・「閉弁閉」・「自動」・「手動」）を確認しその表示灯（電源灯・閉止弁閉灯・自動灯・手動灯）が点灯していれば文字表示がある枠内を点検者が押すことによりこれを制御回路２０が判別しその文字表示を消し、全ての表示を確認し文字表示を消し最後に「確認」の文字表示がある枠内を点検者が押すことによりこれを制御回路２０が判別し次画面への切り替え行い、ステップ６へと進む。点灯していない表示灯の文字は最初から消えている。
ステップ６では操作箱１８の扉面にある表示灯の点灯を確認する操作箱表示確認画面が表示され、その画面に表示されている文字表示（「電源」・「閉弁閉」・「自動」・「手動」）を確認しその表示灯（電源灯・閉止弁閉灯・自動灯・手動灯）が点灯していれば文字表示がある枠内を点検者が押すことによりこれを制御回路２０が判別しその文字を消し、全ての表示を確認し文字表示を消し最後に「確認」の文字表示がある枠内を点検者が押すことによりこれを制御回路２０が判別し次画面への切り替えを行い、ステップ７へと進む。点灯していない表示灯の文字は最初から消えている。
ステップ７では制御部のブレーカーを切るよう点検者に指示を出す制御部ブレーカー切指示画面が表示され、点検者が制御部のブレーカーを切ることによりこれを制御回路２０が判別し次画面への切り替えを行い、ステップ８へと進む。
ステップ８では開放器（ソレノイド）２６を外すよう点検者に指示を出す開放器取外指示画面が表示され、点検者が開放器２６を起動用ガス容器弁１２から取り外し「ＯＫ」の文字表示がある枠内を押すことによりこれを制御回路２０が判別して次画面への切り替えを行い、ステップ９へと進む。
ステップ９では制御部のブレーカーを入れるよう点検者に指示を出す制御部ブレーカー入指示画面が表示され、点検者が制御部のブレーカーを入れることによりこれを制御部２０が判別し次画面への切り替えを行い、ステップ１０へと進む。
ステップ１０では開放器（ソレノイド）２６のキーパーを外すよう点検者に指示を出し、開放器２６の固定解除を確認する開放器固定解除確認画面が表示され、点検者が開放器２６からキーパーを外し「確認」の文字表示がある枠内を押すことによりこれを制御回路２０が判別し次画面への切り替えを行い、ステップ１１へと進む。
ステップ１１では制御盤１６の盤面にある表示灯の点灯を確認する制御盤表示確認画面が表示され、その画面に表示されている文字表示（「電源」・「閉弁閉」・「自動」・「手動」）を確認しその表示灯（電源灯・閉止弁閉灯・自動灯・手動灯）が点灯していれば文字表示がある枠内を点検者が押すことによりこれを制御回路２０が判別しその文字表示を消し、全ての表示を確認し文字表示を消し最後に「確認」の文字表示がある枠内を点検者が押すことによりこれを制御回路２０が判別し次画面への切り替え行い、ステップ１２へと進む。点灯していない表示灯の文字は最初から消えている。
ステップ１２では操作箱１８の扉面にある表示灯の点灯を確認する操作箱表示確認画面が表示され、その画面に表示されている文字表示（「電源」・「閉弁閉」・「自動」・「手動」）を確認しその表示灯（電源灯・閉止弁閉灯・自動灯・手動灯）が点灯していれば文字表示がある枠内を点検者が押すことによりこれを制御回路２０が判別しその文字を消し、全ての表示を確認し文字表示を消し最後に「確認」の文字表示がある枠内を点検者が押すことによりこれを制御回路２０が判別し次画面への切り替えを行い、ステップ１３へと進む。点灯していない表示灯の文字は最初から消えている。
ステップ１３では外部機器の停止移報動作を停止するか否かの確認画面が表示され、停止を行う場合は「ＹＥＳ」の文字表示がある枠内を点検者が押すことによりこれを制御回路２０が判別し次画面への切り替えを行い、ステップ１４へと進み、停止を行わない場合は「ＮＯ」の文字表示がある枠内を点検者が押すことによりこれを制御回路２０が判別しステップ１６へジャンプして進む。
ステップ１４では制御盤１６の盤内にある機器停止スイッチを押すよう点検者に指示を出す機器停止スイッチＯＮ指示画面が表示され、点検者が機器停止スイッチを押すことによりこれを制御回路２０が判別し次画面への切り替えを行い、ステップ１５へと進む。
ステップ１５では制御盤１６の盤面にある表示灯の点灯と機器の作動を確認する制御盤表示作動確認画面が表示され、その画面に表示されている文字表示（「電源」・「閉弁閉」・「ＳＷ注」・「自動」・「手動」・「ＢＺ鳴」）を確認しその表示灯（電源灯・閉止弁閉灯・スイッチ注意灯・自動灯・手動灯）の点灯・ブザー鳴動を確認しその文字表示がある枠内を点検者が押すことによりこれを制御回路２０が判別しその文字表示を消し、全ての表示を確認し文字表示を消し最後に「確認」の文字表示がある枠内を点検者が押すことによりこれを制御回路２０が判別し次画面への切り替えを行い、ステップ１６へと進む。点灯していない表示灯及び作動していない機器の文字は最初から消えている。
そして、ステップ１６で、試験項目選択画面１が表示され、点検者が今から実施しようとする試験項目の文字表示がある枠内を押すことによりこれを制御回路２０が判別しその選択された試験に対応する試験手順表示動作フローへと進み、その試験を行うか否かの確認から試験終了までの手順表示を行う。試験項目選択画面１に表示される試験項目は「操作箱作動試験」・「操作箱停止試験」・「自・手動切替試験」で、これら試験が試験項目選択画面１にて選択可能である。試験項目選択画面１の表示外の試験を実施する場合は、点検者が試験項目選択画面１の「次項」の文字表示がある枠内を押すことによりこれを制御回路２０が判別し次の試験項目選択画面２への切り替えを行い、試験項目選択画面２を表示する。この試験項目選択画面２に表示された試験項目の文字表示がある枠内を点検者が押すことによりこれを制御回路２０が判別しその選択された試験に対応する試験手順表示動作フローへと進み、その試験を行うか否かの確認から試験終了までの手順表示を行う。試験項目選択画面２に表示される試験項目は「感知器作動試験」・「感知器不作動試験」・「異常回路試験」で、これら試験が試験項目選択画面２にて選択可能である。点検者が試験項目選択画面２の「前項」の文字表示がある枠内を押すことによりこれを制御回路２０が判別し前の試験項目選択画面１への切り替えを行い、試験項目選択画面１を表示する。ここで各試験手順表示動作フローにおける最終ステップにて表示される試験終了画面を点検者が押すことによりこれを制御回路２０が判別しステップ１６の試験項目選択画面１への切り替えが行われ、試験項目選択画面１，２にて他の試験項目又は復旧が選択可能である。
また、ステップ１６では試験項目選択画面１の「復旧」の文字表示がある枠内を点検者が押すことによりこれを制御回路２０が判別し機器などを点検前の状態に戻すための復旧手順表示動作フローへと進み、その復旧を行うか否かの確認から復旧完了までの手順表示を行う。ここで復旧手順表示動作フローにおける最終ステップにて表示される復旧完了画面を点検者が押すことによりこれを制御回路２０が判別しステップ０の初期状態（初期画面）に戻す。
【００１９】
図６は点検手順表示プログラムによる制御回路２０の各試験手順表示動作のうち感知器作動試験手順表示動作を説明するフローチャートである。
感知器作動試験を実施する場合、ステップ１６の試験項目選択画面２にて「感知器−作動試験」の文字表示がある枠内を点検者が押すことによりこれを制御回路２０が判別し感知器作動試験の試験手順表示動作フローへと進み、その動作フローの初期画面である試験確認画面（ステップ１７）を表示する。この試験確認画面（ステップ１７）では感知器作動試験を行うか否かの確認を行う。試験を行う場合は「ＹＥＳ」の文字表示がある枠内を点検者が押すことによりこれを制御回路２０が判別し次画面への切り替えを行い、ステップ１８へと進み、試験を行わない場合は「ＮＯ」の文字表示がある枠内を点検者が押すことによりこれを制御回路２０が判別しステップ１６の試験項目選択画面２への切り替えが行われ、再び試験項目選択画面２を表示する。
ステップ１８では制御盤１６の自・手動切替スイッチにより制御盤１６（制御回路２０）を自動モードに切替えるよう点検者に指示を出す制御盤自動モード切替指示画面が表示され、点検者が制御盤１６の自・手動切替スイッチを自動に切替えることによりこれを制御回路２０が判別し次画面への切り替えを行い、ステップ１９へと進む。
ステップ１９では制御盤１６の盤面にある表示灯の点灯と機器の作動を確認する制御盤表示作動確認画面が表示され、その画面に表示されている文字表示（「電源」・「閉弁閉」・「ＳＷ注」・「自動」・「手動」・「ＢＺ鳴」）を確認しその表示灯（電源灯・閉止弁閉灯・スイッチ注意灯・自動灯・手動灯）の点灯・ブザーの鳴動を確認しその文字表示がある枠内を点検者が押すことによりこれを制御回路２０が判別しその文字表示を消し、全ての表示を確認し文字表示を消し最後に「確認」の文字表示がある枠内を点検者が押すことによりこれを制御回路２０が判別し次画面への切り替えを行い、ステップ２０へと進む。点灯していない表示灯及び作動していない機器の文字は最初から消えている。
ステップ２０では操作箱１８の扉面にある表示灯の点灯を確認する操作箱表示確認画面が表示され、その画面に表示されている文字表示（「電源」・「閉弁閉」・「起点灯」・「自動」・「手動」・「起点滅」）を確認しその表示灯（電源灯・閉止弁閉灯・起動灯・自動灯・手動灯）が点灯していれば文字表示がある枠内を点検者が押すことによりこれを制御回路２０が判別しその文字を消し、全ての表示を確認し文字表示を消し最後に「確認」の文字表示がある枠内を点検者が押すことによりこれを制御回路２０が判別し次画面への切り替えを行い、ステップ２１へと進む。点灯していない表示灯の文字は最初から消えている。
ステップ２１では感知回路１の感知器２１を作動させるよう点検者に指示を出す感知器作動指示画面が表示され、点検者が所定の試験機により当該感知器２１を作動させることによりこれを制御回路２０が判別し次画面への切り替え行い。ステップ２２へと進む。
ステップ２２では制御盤１６の盤面にある表示灯の点灯を確認する制御盤表示確認画面が表示され、その画面に表示されている文字表示（「電源」・「閉弁閉」・「火災」・「起動」・「自動」・「手動」・「扉開」）を確認し、その表示灯（電源灯・閉止弁閉灯・火災灯・起動灯・自動灯・手動灯・操作箱扉開灯）が点灯していれば文字表示がある枠内を点検者が押すことによりこれを制御回路２０が判別しその文字を消し、全ての表示を確認し文字表示を消し最後に「確認」の文字表示がある枠内を点検者が押すことによりこれを制御回路２０が判別し次画面への切り替えを行い、ステップ２３へと進む。点灯していない表示灯の文字は最初から消えている。
ステップ２３では制御盤１６の盤内にある表示灯の点灯・ブザーの鳴動と外部機器の動作を確認する制御盤表示、外部機器動作確認画面が表示され、その画面に表示されている文字表示（「ＳＷ注」・「放出」・「ＢＺ鳴」・「音警報」・「充満表」）を確認しその表示灯（スイッチ注意灯・放出灯・放出表示灯）・ブザー鳴動・外部機器の動作を確認し文字表示がある枠内を点検者が押すことによりこれを制御回路２０が判別しその文字を消し、全ての表示・鳴動・動作を確認し文字表示を消し最後に「確認」の文字表示がある枠内を点検者が押すことによりこれを制御回路２０が判別し次画面への切り替えを行い、ステップ２４へと進む。
ステップ２４では操作箱１８の扉面にある表示灯の点灯を確認する操作箱表示確認画面が表示され、その画面に表示されている文字表示（「電源」・「閉弁閉」・「起点灯」・「自動」・「手動」・「起点滅」）を確認しその表示灯（電源灯・閉止弁閉灯・起動灯・自動灯・手動灯）が点灯していれば文字表示がある枠内を点検者が押すことによりこれを制御回路２０が判別しその文字を消し、全ての表示を確認し文字表示を消し最後に「確認」の文字表示がある枠内を点検者が押すことによりこれを制御回路２０が判別し次画面への切り替えを行い、ステップ２５へと進む。点灯していない表示灯の文字は最初から消えている。
ステップ２５では感知回路２の感知器２２を作動させるよう点検者に指示を出す感知器作動指示画面が表示され、点検者が所定の試験機により当該感知器２２を作動させるとこれを制御回路２０が判別し次画面への切り替え行い。ステップ２６へと進む。
ステップ２６ではステップ２２と同様に制御盤１６の盤面にある表示灯の点灯を確認する制御盤表示確認画面が表示され、その画面に表示されている文字表示（「電源」・「閉弁閉」・「火災」・「起動」・「自動」・「手動」・「扉開」）を確認し、その表示灯（電源灯・閉止弁閉灯・火災灯・起動灯・自動灯・手動灯・操作箱扉開灯）が点灯していれば文字表示がある枠内を点検者が押すことによりこれを制御回路２０が判別しその文字を消し、全ての表示を確認し文字表示を消し最後に「確認」の文字表示がある枠内を点検者が押すことによりこれを制御回路２０が判別し次画面への切り替えを行い、ステップ２７へと進む。点灯していない表示灯の文字は最初から消えている。
ステップ２７ではステップ２３と同様に制御盤１６の盤内にある表示灯の点灯・ブザーの鳴動と外部機器の動作を確認する制御盤表示、外部機器動作確認画面が表示され、その画面に表示されている文字表示（「ＳＷ注」・「放出」・「ＢＺ鳴」・「音警報」・「充満表」）を確認しその表示灯（スイッチ注意灯・放出灯・放出表示灯）・ブザー鳴動・外部機器の動作を確認し文字表示がある枠内を点検者が押すことによりこれを制御回路２０が判別しその文字を消し、全ての表示・鳴動・動作を確認し文字表示を消し最後に「確認」の文字表示がある枠内を点検者が押すことによりこれを制御回路２０が判別し次画面への切り替えを行い、ステップ２８へと進む。
ステップ２８ではステップ２４と同様に操作箱１８の扉面にある表示灯の点灯を確認する操作箱表示確認画面が表示され、その画面に表示されている文字表示（「電源」・「閉弁閉」・「起点灯」・「自動」・「手動」・「起点滅」）を確認しその表示灯（電源灯・閉止弁閉灯・起動灯・自動灯・手動灯）が点灯していれば文字表示がある枠内を点検者が押すことによりこれを制御回路２０が判別しその文字を消し、全ての表示を確認し文字表示を消し最後に「確認」の文字表示がある枠内を点検者が押すことによりこれを制御回路２０が判別し次画面への切り替えを行い、ステップ２９へと進む。点灯していない表示灯の文字は最初から消えている。
ステップ２９では開放器作動確認画面が表示され、点検者が開放器（ソレノイド）２６の作動を確認した後、「開放器作動確認」の文字表示がある枠内を押すことによりこれを制御回路２０が判別し次画面への切り替えを行い、ステップ３０へと進む。（制御回路２０が開放器２６の作動信号を出力する前に「開放器作動確認」の文字表示がある枠内を押しても次画面に切り替わらない。）
ステップ３０では圧力スイッチ２７を作動するよう点検者に指示を出す圧力スイッチ作動指示画面が表示され、点検者が圧力スイッチ２７を作動することによりこれを制御回路２０が判別し次画面への切り替えを行い、ステップ３１へと進む。
ステップ３１ではステップ２２，２６と同様に制御盤１６の盤面にある表示灯の点灯を確認する制御盤表示確認画面が表示され、その画面に表示されている文字表示（「電源」・「閉弁閉」・「火災」・「起動」・「自動」・「手動」・「扉開」）を確認し、その表示灯（電源灯・閉止弁閉灯・火災灯・起動灯・自動灯・手動灯・操作箱扉開灯）が点灯していれば文字表示がある枠内を点検者が押すことによりこれを制御回路２０が判別しその文字を消し、全ての表示を確認し文字表示を消し最後に「確認」の文字表示がある枠内を点検者が押すことによりこれを制御回路２０が判別し次画面への切り替えを行い、ステップ３２へと進む。点灯していない表示灯の文字は最初から消えている。
ステップ３２ではステップ２３，２７と同様に制御盤１６の盤内にある表示灯の点灯・ブザーの鳴動と外部機器の動作を確認する制御盤表示、外部機器動作確認画面が表示され、その画面に表示されている文字表示（「ＳＷ注」・「放出」・「ＢＺ鳴」・「音警報」・「充満表」）を確認しその表示灯（スイッチ注意灯・放出灯・放出表示灯）・ブザー鳴動・外部機器の動作を確認し文字表示がある枠内を点検者が押すことによりこれを制御回路２０が判別しその文字を消し、全ての表示・鳴動・動作を確認し文字表示を消し最後に「確認」の文字表示がある枠内を点検者が押すことによりこれを制御回路２０が判別し次画面への切り替えを行い、ステップ３３へと進む。
ステップ３３ではステップ２４，２８と同様に操作箱１８の扉面にある表示灯の点灯を確認する操作箱表示確認画面が表示され、その画面に表示されている文字表示（「電源」・「閉弁閉」・「起点灯」・「自動」・「手動」・「起点滅」）を確認しその表示灯（電源灯・閉止弁閉灯・起動灯・自動灯・手動灯）が点灯していれば文字表示がある枠内を点検者が押すことによりこれを制御回路２０が判別しその文字を消し、全ての表示を確認し文字表示を消し最後に「確認」の文字表示がある枠内を点検者が押すことによりこれを制御回路２０が判別し次画面への切り替えを行い、ステップ３４へと進む。点灯していない表示灯の文字は最初から消えている。
ステップ３４では圧力スイッチ２７を試験前の状態に復旧するように点検者に指示を出す圧力スイッチ復旧指示画面が表示され、点検者が圧力スイッチ２７を復旧することによりこれを制御回路２０が圧力スイッチ２７により判別し次画面への切り替えを行い、ステップ３５へと進む。
ステップ３５では制御盤１６の復旧スイッチを押すように点検者に指示を出す制御盤復旧指示画面が表示され、点検者が復旧スイッチを作動することによりこれを制御回路２０が判別し次画面への切り替えを行い、ステップ３６へと進む。
ステップ３６では開放器（ソレノイド）２６を復旧（矢を戻す）するよう点検者に指示を出す開放器復旧指示画面が表示され、開放器２６を復旧することによりこれを制御回路２０が判別し次画面への切り替えを行い、ステップ３７へと進む。
ステップ３７では制御盤１６の盤面にある表示灯の点灯と機器の作動を確認する制御盤表示作動確認画面が表示され、その画面に表示されている文字表示（「電源」・「閉弁閉」・「ＳＷ注」・「自動」・「手動」・「ＢＺ鳴」）を確認しその表示灯（電源灯・閉止弁閉灯・スイッチ注意灯・自動灯・手動灯）の点灯・ブザーの鳴動を確認しその文字表示がある枠内を点検者が押すことによりこれを制御回路２０が判別しその文字表示を消し、全ての表示を確認し文字表示を消し最後に「確認」の文字表示がある枠内を点検者が押すことによりこれを制御回路２０が判別し次画面への切り替えを行い、ステップ３８へと進む。点灯していない表示灯及び作動していない機器の文字は最初から消えている。
ステップ３８では操作箱１８の扉面にある表示灯の点灯を確認する操作箱表示確認画面が表示され、その画面に表示されている文字表示（「電源」・「閉弁閉」・「起点灯」・「自動」・「手動」・「起点滅」）を確認しその表示灯（電源灯・閉止弁閉灯・起動灯・自動灯・手動灯）が点灯していれば文字表示がある枠内を点検者が押すことによりこれを制御回路２０が判別しその文字を消し、全ての表示を確認し文字表示を消し最後に「確認」の文字表示がある枠内を点検者が押すことによりこれを制御回路２０が判別し次画面への切り替えを行い、感知器作動試験の試験手順表示動作フローの最終ステップ３９へと進む。点灯していない表示灯の文字は最初から消えている。
感知器作動試験の試験手順表示動作フローの最終ステップ３９では感知器作動試験終了画面が表示され、「感知器作動試験終了」の文字表示がある枠内を点検者が押すことによりこれを制御回路２０が判別しステップ１６の試験項目選択画面１への切り替えが行われ、試験項目選択画面１，２にて他の試験項目の選択又は復旧が選択可能となる。
尚、他の試験手順表示動作についての説明は省略するが、前記感知器作動試験手順表示動作と同様に消防法によって定められた点検が実施できるように動作することは言うまでもない。
【００２０】
図７は点検手順表示プログラムによる制御回路２０の復旧動作を説明するフローチャートである。
機器などを点検前の状態に戻す復旧を実施する場合、ステップ１６の試験項目選択画面１にて「復旧」の文字表示がある枠内を点検者が押すことによりこれを制御回路２０が判別し復旧手順表示動作フローへと進み、その動作フローの初期画面である復旧確認画面（ステップ１５０）を表示する。この復旧確認画面（ステップ１５０）では復旧を行うか否かの確認を行う。復旧を行う場合は「ＹＥＳ」の文字表示がある枠内を点検者が押すことによりこれを制御回路２０が判別し次画面への切り替えを行い、ステップ１５１へと進み、復旧を行わない場合は「ＮＯ」の文字表示がある枠内を点検者が押すことによりこれを制御回路２０が判別しステップ１６の試験項目選択画面１への切り替えが行われ、再び試験項目選択画面１を表示する。
ステップ１５１では制御盤１６の機器停止移報停止スイッチ、警報停止スイッチ、ブザー停止スイッチをＯＦＦにするよう点検者に指示を出す機器停止移報停止スイッチ及び警報停止スイッチ及びブザー停止スイッチＯＦＦ指示画面が表示され、点検者が制御盤１６の機器停止移報停止スイッチ、警報停止スイッチ、ブザー停止スイッチをＯＦＦにするすることによりこれを制御回路２０が判別し次画面への切り替えを行い、ステップ１５２へと進む。
ステップ１５２では制御部のブレーカーを切るよう点検者に指示を出す制御部ブレーカー切指示画面が表示され、点検者が制御部のブレーカーを切ることによりこれを制御回路２０が判別し次画面への切り替えを行い、ステップ１５３へと進む。
ステップ１５３では開放器（ソレノイド）２６のキーパーをセットするよう点検者に指示を出し、開放器２６の固定を確認する開放器固定確認画面が表示され、点検者が開放器２６にキーパーをセットし「確認」の文字表示がある枠内を押すことによりこれを制御回路２０が判別し次画面への切り替えを行い、ステップ１５４へと進む。
ステップ１５４では開放器（ソレノイド）２６を起動ガス用容器弁１２に取り付けるよう点検者に指示を出す開放器取付指示画面が表示され、点検者が開放器２６を起動用ガス容器弁１２に取り付けた後、「確認」の文字表示がある枠内を押すことによりこれを制御回路２０が判別し次画面への切り替えを行い、ステップ１５５へと進む。
ステップ１５５では制御部のブレーカーを入れるよう点検者に指示を出す制御部ブレーカー入指示画面が表示され、点検者が制御部のブレーカーを入れることによりこれを制御部２０が判別し次画面への切り替えを行い、ステップ１５６へと進む。
ステップ１５６では開放器（ソレノイド）２６のキーパーを外すよう点検者に指示を出し、開放器２６の固定解除を確認する開放器固定解除確認画面が表示され、点検者が開放器２６からキーパーを外し「確認」の文字表示がある枠内を押すことによりこれを制御回路２０が判別し次画面への切り替えを行い、ステップ１５７へと進む。
ステップ１５７では閉止弁９を開くよう点検者に指示を出す閉止弁開指示画面が表示され、点検者が閉止弁９を開くことによりこれを制御回路２０が閉止弁開スイッチにより判別し次画面への切り替えを行い、ステップ１５８へと進む。
ステップ１５８では制御盤１６の盤面と操作箱１８の扉面にある表示灯の点灯を確認する制御盤・操作箱表示確認画面が表示され、その画面に表示されている文字表示（制御盤１６側の「電源」・「閉弁閉」・「自動」・「手動」と、操作箱１８側の「電源」・「自動」・「手動」）を確認し、その表示灯（制御盤１６側の電源灯・閉止弁閉灯・自動灯・手動灯と、操作箱１８側の電源灯・自動灯・手動灯）が点灯していれば文字表示がある枠内を点検者が押すことによりこれを制御回路２０が判別しその文字を消し、全ての表示を確認し文字表示を消し最後に「確認」の文字表示がある枠内を点検者が押すことによりこれを制御回路２０が判別し次画面への切り替えを行い、復旧手順表示動作フローの最終ステップ１５９へと進む。点灯していない表示灯の文字は最初から消えている。
復旧手順表示動作フローの最終ステップ１５９では復旧完了画面が表示され、「復旧完了」の文字表示がある枠内を点検者が押すことによりこれを制御回路２０が判別しステップ０の初期状態（初期画面）に戻す。
【００２１】
以上のように、制御盤１６の制御回路２０にタッチパネル付き表示装置４７を接続し、そのタッチパネル付き表示装置４７の画面に表示される内容にしたがって機器の操作や確認を行うことによって、消火設備Ｓの点検を容易にかつ確実に行うことができる。
【００２２】
さらに、消火設備Ｓに使用されている部品であって、寿命がありその寿命が設置環境によって左右される寿命部品について、設置環境に応じた適正交換時期を予測するために、制御回路２０に消火設備Ｓの点検の都度、寿命部品の電流・電圧の一方又は両方をデータとして記憶し蓄積するデータ記憶蓄積手段を備えており、次にこのデータ記憶蓄積手段について説明する。
【００２３】
例えば、火災感知器２１，２２は経年変化により劣化が発生し、寿命がありその寿命が設置環境によって左右されるため、この火災感知器２１，２２における設置環境に応じた適正交換時期を予測する場合について説明すると、火災感知器２１，２２をＡ／Ｄ変換器５５，５６を介して制御回路２０に接続させ、各火災感知器２１，２２の動作信号（電圧）をＡ−Ｄ変換器でデジタル量に変換し、制御回路２０に各火災感知器２１，２２の出力レベルをデジタルデータとして取り込み、履歴データメモリを使って記憶し蓄積するように構成する。この履歴データメモリ回路には自由に書き込み、読み出しでき、かつ電源が落ちても内容の消えないメモリ、例えば、停電対策付きの不揮発生ＲＡＭを使用する。
【００２４】
図８はデータ記憶蓄積プログラムによる制御回路２０のデータ記憶蓄積動作を説明するフローチャートである。制御回路２０は、点検手順表示プログラムにしたがって点検項目を手順ごとにタッチパネル付き表示装置４７に表示しながら定期点検が開始され、感知器作動試験のステップ２１，２５において、点検者が所定の試験機により各火災感知器２１，２２を作動させたとき、Ａ−Ｄ変換された各火災感知器２１，２２の出力レベルデータを履歴データメモリに取り込み、所定のアドレスに記憶する。
【００２５】
このデータ記憶蓄積を消火設備Ｓの設置時点からの定期点検の都度行うことにより、消火設備Ｓの設置時点から現時点までの（最大消火設備Ｓの更新時までの）火災感知器２１，２２についての定期点検ごとの出力レベルデータが履歴データメモリに蓄積され、一種の履歴データベースが作られ、これを消火設備Ｓは保有することとなる。
【００２６】
図９は履歴データメモリに記憶蓄積されているある火災感知器についてのデータに基づいて作成された感知器劣化度判定線図である。ここでは、仮に、一般的に経年変化により劣化（内部の汚れ）が発生し、徐々に感度が上がり、塵埃が多い環境ほど感度が早く上がることが知られており、部品メーカーが定めた定期交換推奨年数が５年の光電式の煙感知器であって、便宜上、煙濃度が０〜１０％まで変化するのに比例して、煙感知器からの動作信号（電圧）も０〜１０ボルト（Ｖ）まで変化し、煙濃度が５％で煙感知器を作動させように動作レベルを５ボルト（Ｖ）に設定したものについて、消火設備Ｓの設置時から例えば６ヶ月ごとの定期点検の都度、その煙感知器の作動試験を、劣化度判定側の標準化を図るために劣化がない状態では常に５ボルト（Ｖ）の動作信号（電圧）が出力されるような試験機により行い、その煙感知器の出力レベルデータを制御回路２０の履歴データメモリに記憶蓄積したものとする。
【００２７】
而して、図９に示す感知器劣化度判定線図は、縦軸に感知器出力レベルを取り横軸に設置時点からの点検回数を取りグラフ化したもので、次のことが判別できる。
例えば、消火設備Ｓの設置時から７回目（３年半目）の定期点検の実施に際して、過去６回の定期点検時の感知器出力レベルデータの変化の推移を見ると、先ず、感知器出力レベルが設置後の時間経過とともに徐々に高くなっており、煙感知器の内部が汚れて劣化が徐々に進行していることが判別できる。
【００２８】
また、直前の２つのデータ、すなわち前回６回目（半年前）の点検時の感知器出力レベルと前々回５回目（１年前）の点検時の感知器出力レベルとを比較してその変化量Δ６を見ることによって、さらには判別精度を上げるため他の２つのデータ、例えば前回６回目（半年前）の点検時の感知器出力レベルと４回目（１年半前）の点検時の感知器出力レベルとを比較してその変化量Δ８も参照することによって、例えば、動作レベル５ボルト（Ｖ）の上下１ボルト（Ｖ）の範囲（４〜６ボルト（Ｖ））が適正レベルであると設定した場合、現時点での感知器出力レベルは適正レベルに入るけれども、半年後（４年目）には適正レベルを超えてしまい、放置すると４％に満たない煙濃度でも誤作動するおそれがあるぐらいに劣化するということが判別でき、これに基づいて煙感知器のメーカー基準の定期交換推奨年数は５年であるけれども、実際の設置環境における寿命は約３年半前後であると判断でき、実際の設置環境における煙感知器の交換時期は設置時点から約３年半前後であると予測できる。
【００２９】
したがって、今回７回目の点検で煙感知器を交換する必要があると判断し、交換する新しい煙感知器を事前に用意した上で、その７回目の点検の際に煙感知器の交換を同時に行うことができる。すなわち、煙感知器の交換を早過ぎず遅過ぎず設置環境に応じた適正時期に適確に行うことができ、しかもこの交換を消火設備Ｓの設置場所に点検のために面向いたときに同時に行うことができる。これによって、例えば消火設備Ｓの７回目の点検を行った直後に煙感知器が誤動作し、その点検の精度や信頼性を損なうといった事態を防止することができる。
【００３０】
また、各感知器出力レベルのデータの変化量の多少によって、前述の感知器作動試験の内容に加えてさらに精密な点検を行うように指示を出すなど、点検内容を実際の設置環境に応じた、より適正なものに見直すことも行える。
【００３１】
尚、煙感知器の設置環境に応じた適正交換時期の予測は、設置時から２回目までの点検でのデータでは困難であるが、３回目までの点検でのデータがあれば、各データの変化の推移を見ることで大凡の予測は可能である。また設置当初の煙感知器の故障は殆どが初期不良であるが、これも１回目の点検時のデータを基準レベルと比較しその変化量を見ることによって判別可能である。
【００３２】
さらに、消火設備Ｓの設置時から、例えば十数年が経過した場合には、過去の点検時の感知器出力レベルデータの変化の推移を見ると、煙感知器については３年半ごとに交換されているということが判別できる。これによって、例えば点検対象の消火設備Ｓから一義的にその点検準備やメンテナンス準備が適正に行えるようになり、点検及びメンテナンスが設置後の時間経過ともに効率的に行うことができる。また設置時から十数年が経過する間に点検業者が変更された場合ても、過去の点検時の感知器出力レベルデータの変化の推移、すなわち煙感知器についての過去のメンテテナンスの履歴を見ることにより、点検業者が変更された以降も、煙感知器の交換を設置環境に応じた適正時期に行うことができる。
【００３３】
また、各消火設備Ｓごとの設置時から最大消火設備Ｓの更新時までの感知器出力レベルデータを収集することによって、このデータを利用して設置環境に応じた新たな煙感知器の開発などを行うことができる。
【００３４】
上記のようなデータ分析は、制御回路２０を構成するＣＰＵを用いて行うこともできるが、それでは演算処理能力が非常に高く高価なＣＰＵが必要になるため、履歴メモリデータの分析を点検者が携帯するノートパソコンや事業所のパソコンを使用して行えるように、履歴データメモリの内容を取り出し可能に構成することが望ましく、この場合には、既存の制御回路２０でデータ記憶蓄積手段を付加できる。
【００３５】
以上のように本実施形態では、火災感知器２１，２２のうち光電式の煙感知器を寿命部品として説明したが、他の形式の煙感知器や他の種類の熱感知器、炎感知器、ガス感知器などの感知器類、その他表示灯（ランプ、ＬＥＤ）類、ディスプレイ類、スイッチ類、配線、各種機器のソレノイドやモータなどのアクチュエータ類なども、消火設備Ｓに使用されている部品であって、寿命がありその寿命が設置環境によって左右される寿命部品であり、これら寿命部品についても、その電気特性に応じて電流・電圧の一方又は両方をＡ／Ｄ変換器５５，５６を介してデジタル量に変換し、制御回路２０にデジタルデータとして取り込み、履歴データメモリを使って記憶し蓄積することによって、各寿命部品について設置環境に応じた適正交換時期を予測でき、それを予測した上で消火設備Ｓの点検を行うことができるものである。
【図面の簡単な説明】
【００３６】
【図１】消火設備の一例を示すシステム構成図である。
【図２】制御盤の概略を示すブロック図である。
【図３】タッチパネル付き表示装置の表示例を示す図である。
【図４】点検手順表示プログラムによる制御回路の動作概要を説明するフローチャートである。
【図５】点検手順表示プログラムによる制御回路の点検準備動作を説明するフローチャートである。
【図６】点検手順表示プログラムによる制御回路２０の各試験手順表示動作のうち感知器作動試験手順表示動作を説明するフローチャートである。
【図７】点検手順表示プログラムによる制御回路の復旧動作を説明するフローチャートである。
【図８】データ記憶蓄積プログラムによる制御回路２０のデータ記憶蓄積動作を説明するフローチャートである。
【図９】履歴データメモリに記憶蓄積されているある火災感知器についてのデータに基づいて作成された感知器劣化度判定線図である。
【符号の説明】
【００３７】
Ｓ    消火設備
１６  制御盤
１８  操作箱（手動式起動装置）
２０  制御回路
２１，２２  火災感知器（寿命部品）
４７  タッチパネル付き表示装置
５５，５６  Ａ／Ｄ変換機
【図１】
2005296321.tif 000003
【図２】
2005296321.tif 000004
【図３】
2005296321.tif 000005
【図４】
2005296321.tif 000006
【図５】
2005296321.tif 000007
【図６】
2005296321.tif 000008
【図７】
2005296321.tif 000009
【図８】
2005296321.tif 000010
【図９】
2005296321.tif 000011